(57)【要約】【課題】本発明は、所望とするキャラクターや文字、図形、記号、絵、ロゴの少なくともいずれか又はこれらの組合せに係る画像を投影することが可能な電球及びそれを用いた照明装置を提供することを目的とする。【解決手段】本発明の電球は、レンズユニット７と、レンズユニット７を装着する投影ユニット２と、投影ユニット２が着脱可能な接続部としての投影ユニット接続部５を有する筺体部３と、筺体部３の平面に実装される単一光源（光源部１５）と、レンズユニット７の単一光源と対向する面に装着可能なフィルム装着ユニット８と、単一光源に電力を供給する電源ユニット６と、を備えたことを特徴とする。【選択図】  図１
2013167711.tif 000002
【特許請求の範囲】
【請求項１】
レンズユニットと、
上記レンズユニットを装着する投影ユニットと、
上記投影ユニットが着脱可能な接続部を有する筺体部と、
上記筺体部の平面に実装される単一光源と、
上記レンズユニットの上記単一光源と対向する面に装着可能なフィルム装着ユニットと、
上記単一光源に電力を供給する電源ユニットと、を備えた
ことを特徴とする電球。
【請求項２】
上記レンズユニットは、複数のレンズからなるレンズ群を備えていること
を特徴とする請求項１に記載の電球。
【請求項３】
上記複数のレンズとして、フィルム装着ユニットの装着側に近い順に、平凸レンズ、アクロマートレンズ、メニスカスレンズが配設されていること
を特徴とする請求項２に記載の電球。
【請求項４】
上記単一光源は、単一の発光ダイオードからなること
を特徴とする請求項１に記載の電球。
【請求項５】
上記投影ユニットは、上記筺体部の接続部に装着された後においても当該接続部に対して回転自在であること
を特徴とする請求項１に記載の電球。
【請求項６】
上記単一光源の前面に、当該単一光源からの照射光を平行光に変換するためのレンズ部が配設されること
を特徴とする請求項１に記載の電球。
【請求項７】
上記レンズユニットの先端に着脱自在の長距離投影用レンズユニットを更に備えたこと
を特徴とする請求項１に記載の電球。
【請求項８】
上記レンズユニットの先端部分に短尺の円筒形状の螺子接続部が配設され、
当該螺子接続部の内面の螺子溝に螺合することで上記長距離投影用レンズユニットを上記レンズユニットに装着すること
を特徴とする請求項７に記載の電球。
【請求項９】
上記長距離投影用レンズユニットの先端に着脱自在の他の長距離投影用レンズユニットを更に備えたこと
を特徴とする請求項７に記載の電球。
【請求項１０】
上記投影ユニットの外観形状は略円柱形状となっており、その内部はくり抜かれて中空となっており、当該投影ユニットの端面の直径は、上記接続部の直径よりも小さくなっていること
を特徴とする請求項１に記載の電球。
【請求項１１】
上記投影ユニットの外観形状は略円筒形状となっており、その内部は中空となっており、外壁の厚さは略均一となっていること
を特徴とする請求項１に記載の電球。
【請求項１２】
上記投影ユニットの外観形状は、上記接続部への装着側からレンズユニットが装着される先端側に向けて内径が徐々に小さくなるような略円錐台形状となっており、内部も略円錐台形状にくり抜かれて中空となっていること
を特徴とする請求項１に記載の電球。
【請求項１３】
請求項１乃至１２のいずれかの電球を用いた照明装置。
【発明の詳細な説明】
【技術分野】
【０００１】
この発明は、例えば電球及びそれを用いた照明装置に関する。
【背景技術】
【０００２】
今日では、ＬＥＤやＣＣＦＬを光源として用いた電球が普及してきている。従来、これら電球は、もっぱら屋内外の照明目的で使用されてきたが、最近ではこれら電球に対して付加価値を求める傾向がある。
【０００３】
ところで、例えば特許文献１では、投影機に関する技術が開示されている。即ち、この投影機は、光源及びレンズを保持する第１保持筒と、フィルムを保持するフィルム保持筒と、レンズを保持する第２保持筒を備えている。
【先行技術文献】
【特許文献】
【０００４】
【特許文献１】実用新案登録第３１４９６１２号公報
【発明の概要】
【発明が解決しようとする課題】
【０００５】
しかしながら、特許文献１は、電球自体とは無関係のハンディタイプの投影機を開示したものにすぎず、電球自体に投影機能を付加価値として実装するとの技術的思想は何ら開示も示唆もされてはいない。即ち、電球自体に、単一光源、レンズ鏡筒を実装し、高精度な投影を実現しようとの技術的思想は開示も示唆もされてはいない。本願発明は、この点に着目してなされたものである。
【０００６】
本発明は上述した課題に鑑みてなされたもので、その目的とするところは、所望とするキャラクターや文字、図形、記号、絵、ロゴの少なくともいずれか又はこれらの組合せに係る画像を投影することが可能な電球及びそれを用いた照明装置を提供することにある。
【課題を解決するための手段】
【０００７】
上述技術的な課題を解決するため、本発明の第１の態様に係る電球は、レンズユニットと、上記レンズユニットを装着する投影ユニットと、上記投影ユニットが着脱可能な接続部を有する筺体部と、上記筺体部の平面に実装される単一光源と、上記レンズユニットの上記単一光源と対向する面に装着可能なフィルム装着ユニットと、上記単一光源に電力を供給する電源ユニットとを備えたことを特徴とする。
【発明の効果】
【０００８】
従って、本発明に係る電球及びそれを用いた照明装置によれば、所望とする画像を投影することが可能となる。
【図面の簡単な説明】
【０００９】
【図１】本発明の第１の実施形態に係る電球の構成を示す図である。
【図２】本発明の第１の実施形態に係る電球の投影ユニットと投影ユニット接続部との接続関係を説明するための図である。
【図３】（ａ）及び（ｂ）は、本発明の第１の実施形態に係る電球に採用されるレンズユニットの構成を詳細に説明するための図である。
【図４】本発明の第１の実施形態に係る電球の斜視図である。
【図５】本発明の第２の実施形態に係る電球の構成を示す図である。
【図６】本発明の第３の実施形態に係る電球の構成を示す図である。
【図７】本発明の第３の実施形態に係る電球の他の構成を示す図である。
【図８】本発明の第４の実施形態に係る電球の構成を示す図である。
【図９】本発明の第４の実施形態に係る電球の投影ユニットと投影ユニット接続部との接続関係を説明するための図である。
【図１０】本発明の第５の実施形態に係る電球の構成を示す図である。
【図１１】本発明の第６の実施形態に係る電球の構成を示す図である。
【図１２】本発明の第１の実施形態に係る電球のサイズの一例を示す図である。
【発明を実施するための形態】
【００１０】
以下、本発明の電球及び照明装置に係る好適な実施形態について図面を参照しながら説明する。なお、本発明の電球及び照明装置は、以下の記述に限定されるものではなく、本発明の要旨を逸脱しない範囲において、適宜変更可能である。
【００１１】
先ず、本発明の第１の実施形態について説明する。
【００１２】
図１は本発明の第１の実施形態に係る電球の構成を示す図である。
【００１３】
図１に示されるように、この電球１は、投影ユニット２と、筺体部３と、口金４と、投影ユニット接続部５とを有している。投影ユニット２の外観形状は略円柱形状となっており、その内部は略円錐台形状にくり抜かれて中空となっている。すなわち、投影ユニット２は、投影ユニット接続部５への装着側からレンズユニット７が装着される先端側に向けて内径が徐々に小さくなるような円錐台形状にくり抜かれている。但し、先端から所定長だけは、円柱形状にくり抜かれている。そして、投影ユニット２の先端側には、投影ユニット２の先端にて円柱形状にくり抜かれた部分の内面に形成された螺子接続部１３に螺合することで、レンズユニット７が装着されるようになっている。この螺合を実現するために、レンズユニット７の先端部分の外周面にも螺子溝が形成されている。但し、投影ユニット２とレンズユニット７の接合関係は、これに限定されるものではない。
【００１４】
投影ユニット２は、一端が投影ユニット接続部５に装着されるようになっている。その詳細は図２に示される通りである。即ち、投影ユニット２の一端の内面には凹部２１が円周方向に連続して形成されており、投影ユニット接続部５の一端の外面には凸部２０が円周方向に連続して形成されており、この凹部２１が凸部２０と嵌合することで、投影ユニット２が投影ユニット接続部５に回転自在に接続される。このように投影ユニット２が投影ユニット接続部５に対して回転自在であることから、電球１の口金４をプラグに接続した後においても、簡易且つ迅速に投影像の投影角度を回転させることができる。尚、投影ユニット２と投影ユニット接続部５との接続関係は、上記凹部２１と凸部２０の嵌合に限定されるものではなく、種々の手法が採用できる。
【００１５】
レンズユニット７は、内部が中空の円柱形状（即ち、円筒形状）となっており、後述する光源部１５に対向する端面には、ポジフィルムや高分子フィルム等のフィルム９を把持したフィルム装着ユニット８が装着される。その様子は、図３（ａ）に詳細に示される通りであり、２枚の固定リング８ａ，８ｂによりフィルム９が挟持されフィルム装着ユニット８として一体となる。そして、図３（ｂ）に示されるように、フィルム装着ユニット８は、レンズユニット７に螺合或いは嵌合される。このように、フィルム装着ユニット８はレンズユニット７に対して着脱自在であるため、簡易且つ迅速に所望とするフィルムに交換することが可能となっている。更に、嵌合する関係とした場合には、フィルム９の装着位置をレンズユニット７に対して回転自在とすることも可能となる。
【００１６】
尚、「ポジフィルム」とは、例えば、撮影並びに現像した後に、明暗（即ち、色彩）が実際の見た目と同じに見える写真のフィルムをいい、「高分子フィルム」とは、例えば、ベース材となるプラスチックフィルムにコーティングや蒸着等の表面処理やラミネート等の二次加工等を施したフィルムをいう。尚、フィルム装着ユニット８に装着されるフィルム９には、例えば、所望とするキャラクターや文字、図形、記号、絵、ロゴの少なくともいずれか又はこれらの組合せに係る像等が形成されている。
【００１７】
レンズユニット７内には、光軸方向に複数のレンズ（この例では３枚）１０乃至１２が配設されている。より詳細には、この第１の実施形態では、フィルム装着ユニット８の装着側に近い順に、平凸レンズ１０、アクロマートレンズ１１、メニスカスレンズ１３が配設されている。平凸レンズ１０とは、一方の面が平面、他方の面が凸面で構成されたもので、正の焦点距離を有している。アクロマートレンズ１１とは、屈折率と色分散の異なる凹レンズと凸レンズを接合したもので、２色（一般には赤と青）の焦点位置のずれを補正する役割を担う。メニスカスレンズ１３は、一方の面が凸面、他方の面が凹面となっており、焦点距離を変更（調整）する役割を担っている。これらレンズ群により、光源１５から照射された光によりフィルム装着ユニット８のフィルム９に係る投影像を投影する際に所望とする焦点距離に該投影像が結像するように調整がなされる。即ち、換言すれば、レンズユニット７は、複数のレンズ１０乃至１２からなるレンズ群を有し、当該レンズ群によりフィルム装着ユニット８のフィルム９に係る投影像が所望とする焦点距離に結像するように調整をし、所望とする投影をなすことになる。つまり、例えば、所望とするキャラクターや文字、図形、記号、絵、ロゴの少なくともいずれか又はこれらの組合せに係る画像等を投影することが可能となる。
【００１８】
投影ユニット接続部５の投影ユニット２の接続側とは反対の他端は、筺体部３に固定されている。そして、筺体部３の外周面は、放熱フィン３ａで覆われている。この放熱フィン３ａは、例えばアルミニウム等の軽量で熱伝導性が高い金属からなる。
【００１９】
さらに、筺体部３の投影ユニット接続部５の接続側の平面には、単一光源ＬＥＤ基板からなる光源部１５が配設されている。また、筺体部３の内部は中空となっており、当該内部に電源ユニット６が収納されている。電源ユニット６は、口金（この例では、Ｅ２６口金）４、光源部１５に電気的に接続されている。電源ユニット６は、口金４及び該口金４から延設された不図示の配線を介して商用電源と電気的に接続されており、商用電源から供給される交流を定電流に変換して、光源部１５としての単一光源ＬＥＤ基板のＬＥＤに入力する。これにより、ＬＥＤは所定の輝度で発光する。ここで、光源部１５に単一のＬＥＤを採用している点は特徴点の一つである。
【００２０】
ここで、図４は本発明の第１の実施形態に係る電球の斜視図である。前述した通り、円筒形状の投影ユニット２の一端は、投影ユニット接続部５に回転自在に装着され、他端にはレンズユニット７が装着される。投影ユニット接続部５の投影ユニット２との接続端とは反対側の他端は、筺体部３に接続されている。この筺体部３は略円錐台形状となっており、その内部には電源ユニット６等を収納するスペースが設けられている。筺体部３の外周面は、放熱フィン３ａにより被覆されている。また、筺体部３の投影ユニット接続部５との接続側は、絶縁性の平板による平面が形成されており、ここでは不図示の光源部１５を当該平面に実装可能となっている。筺体部３の投影ユニット接続部５との接続側とは反対側の他端には口金４が接続されている。以上により、この発明の第１の実施形態に係る電球は、レンズ鏡筒を備えたＬＥＤ電球のごとき従来にない新しいカテゴリの電球の外観を呈している。
【００２１】
以上説明したように、本発明の第１の実施形態によれば、レンズユニット７と、レンズユニット７を装着する投影ユニット２と、投影ユニット２が着脱可能な接続部としての投影ユニット接続部５を有する筺体部３と、筺体部３の平面に実装される単一光源（光源部１５）と、レンズユニット７の単一光源と対向する面に装着可能なフィルム装着ユニット８と、単一光源に電力を供給する電源ユニット６と、を備えたことを特徴とする電球１が提供される。従って、レンズユニット７と単一光源（１５）を備え、フィルム９の画像を投影可能な従来にない新しいカテゴリの電球１が実現される。
【００２２】
レンズユニット７は、複数のレンズからなるレンズ群を備える。従って、複数のレンズにより、所望とする焦点距離にフィルム画像が投影可能となる。
【００２３】
複数のレンズとして、フィルム装着ユニットの装着側に近い順に、平凸レンズ１０、アクロマートレンズ１１、メニスカスレンズ１２が配設されている。従って、これらレンズ群により、単一光源１５から照射された光によりフィルム装着ユニット８のフィルム９に係る投影像を投影する際に所望とする焦点距離に該投影像が結像するように予め調整がなされることになる。
【００２４】
単一光源は、単一の発光ダイオードからなる。即ち、単一光源によるので、光量ムラや配光のばらつき等がなく、鮮明な投影が実現されることになる。
【００２５】
投影ユニット２は、筺体部３の接続部（投影ユニット接続部５に相当）に装着された後においても当該接続部に対して回転自在である。即ち、投影ユニット２を回転させることで、投影像を、光軸を中心に回転させることが可能となる。
【００２６】
次に本発明の第２の実施形態について説明する。
【００２７】
図５は本発明の第２の実施形態に係る電球の構成を示す図である。ここでは、図１と同一構成については同一符号を用いて重複した説明は省略する。
【００２８】
図５に示されるように、この電球１００では、筺体部３の投影ユニット接続部５との接続側の平面に実装された単一光源ＬＥＤ基板からなる光源部１５にレンズ部１６が接続されており、光源部１５からの照射光を平行光に変換するようになっている。即ち、光源部１５から照射された光は、レンズ部１６により平行光に変換されて、レンズユニット７のフィルム装着ユニット８のフィルム９を後方から照射する。
【００２９】
このレンズ部１６がない場合には、単一光源ＬＥＤ基板からの光は投影ユニット２の円錐台形状にくり抜かれた中空部の空間内にて拡散しながらレンズユニット７に照射されるところ、該レンズ部１６がある場合には、平行光に変換されるので、より効率的にレンズユニット７に照射光を導くことが可能となる。
【００３０】
以上説明したように、本発明の第２の実施形態によれば、単一光源（光源部１５）の前面に、当該単一光源からの照射光を平行光に変換するためのレンズ部１６が配設されることを特徴とする電球１００が提供される。これによれば、フィルム９に照射される光の光量を増やすことができ、より鮮明なフィルム画像の投影が可能となる
【００３１】
次に本発明の第３の実施形態について説明する。
【００３２】
図６は本発明の第３の実施形態に係る電球の構成を示す図である。ここでは、図１と同一構成については同一符号を用いて重複した説明は省略する。
【００３３】
図６に示されるように、この第３の実施形態の電球１０１では、レンズユニット７の先端に長距離投影用レンズユニット３０が装着可能となっている。より詳細には、レンズユニット７の先端部分に短尺の円筒形状の螺子接続部３１が配設され、当該螺子接続部３１の内面の螺子溝に螺合することで長距離投影用レンズユニット３０をレンズユニット７に装着する。この場合には、長距離投影用レンズユニット３０の装着側の外周面には所定長だけ螺子溝が刻まれる。尚、螺合に限らず、嵌合するような構成としてもよい。長距離投影用レンズユニット３０の内部には、焦点距離を調整するためのレンズ３２が配設されている。この長距離投影用レンズユニット３０を装着した場合には、長距離投影（例えば３ｍ程度）を行った際に、小さく投影することができる。
【００３４】
ここで、本発明の第３の実施形態に係る電球は、図７に示すように構成することもできる。図７に示される電球１０２では、長距離投影用レンズユニット４０を更に増設することができるようになっている。即ち、長距離投影用レンズユニット３０の先端部分に短尺の円筒形状の螺子接続部４１が配設され、当該螺子接続部４１の内面の螺子溝に螺合することで長距離投影用レンズユニット４０を長距離投影用レンズユニット３０に装着するようになっている。この場合には、長距離投影用レンズユニット４０の装着側の外周面には所定長だけ螺子溝が刻まれる。尚、螺合に限らず、嵌合するような構成としてもよい。長距離投影用レンズユニット４０の内部には、焦点距離を調整するためのレンズ４２が配設されている。この長距離投影用レンズユニット３０，４０を装着した場合には、超長距離投影（例えば５ｍ程度）を行った際に、小さく投影することができる。
【００３５】
以上説明したように、本発明の第３の実施形態によれば、上記レンズユニット７の先端に着脱自在の長距離投影用レンズユニット３０を更に備えた電球１０１が提供される。この長距離投影用レンズユニット３０を装着した場合、長距離投影（例えば３ｍ程度）を行った際に、小さく投影することができる。
【００３６】
上記レンズユニット７の先端部分に短尺の円筒形状の螺子接続部３１が配設され、当該螺子接続部３１の内面の螺子溝に螺合することで上記長距離投影用レンズユニット３０を上記レンズユニットに装着する。簡易且つ迅速な着脱が実現される。
【００３７】
上記長距離投影用レンズユニット３０の先端に着脱自在の他の長距離投影用レンズユニット４０を更に備えた電球１０２としてもよい。この長距離投影用レンズユニット３０，４０を装着した場合には、超長距離投影（例えば５ｍ程度）を行った際に、小さく投影することができる。
【００３８】
次に本発明の第４の実施形態について説明する。
【００３９】
図８には本発明の第４の実施形態に係る電球の構成を示し説明する。ここでは、図１と同一構成については同一符号を用いて重複した説明は省略する。
【００４０】
図８に示されるように、この電球１０３は、投影ユニット５０と、筺体部３と、口金４と、投影ユニット接続部５１とを有している。投影ユニット５０の外観形状は略円柱形状となっており、その内部はくり抜かれて中空となっている。ここで、投影ユニット５０の端面（円柱形状の底面に相当）の直径は、投影ユニット接続部５１の直径よりも小さくなっている。これにより、全体の軽量化を図っている。投影ユニット５０の先端側には、内面に形成された螺子接続部５８に螺合することで、レンズユニット５４が装着されるようになっている。この螺合を実現するために、レンズユニット５４の先端部分の外周面にも螺子溝が形成されている。但し、投影ユニット５０とレンズユニット５４の接合関係はこれに限定されるものではない。
【００４１】
投影ユニット５０は、その一端が投影ユニット接続部５１に装着されるようになっている。その詳細は図９に示される通りである。即ち、投影ユニット５０の一端の内面には凹部６１が円周方向に連続して形成されており、投影ユニット接続部５１の一端の平面からレンズユニット５４装着方向に向けて所定長だけ突出した部分の外面には凸部６０が円周方向に連続して形成されており、この凹部６１が凸部６０と嵌合することで、投影ユニット５０が投影ユニット接続部５１に回転自在に接続される。このように投影ユニット５０が投影ユニット接続部５１に対して回転自在であることから、電球１０３の口金４をプラグに接続した後においても、簡易且つ迅速に投影像の投影角度を回転（変更）させることができる。尚、投影ユニット５０と投影ユニット接続部５１との接続関係は、上記凹部６１と凸部６０の嵌合に限定されるものではなく、種々の手法が採用できる。
【００４２】
レンズユニット５４は、内部が中空の円柱形状（即ち円筒形状）となっており、光源部１５に対向する端面には、ポジフィルムや高分子フィルム等のフィルム５３を把持したフィルム装着ユニット５２が装着される。その構成は、先に第１の実施形態で前述した把持構造と同様である。フィルム装着ユニット５２は、レンズユニット５４に螺合或いは嵌合される。このように、フィルム装着ユニット５２はレンズユニット５４に対して着脱自在であるため、簡易且つ迅速に所望とするフィルムに交換することが可能となっている。更に、嵌合する関係とした場合には、フィルム５３の装着位置をレンズユニット５４に対して回転自在とすることも可能となる。
【００４３】
レンズユニット５４内には、光軸方向に複数のレンズ（この例では３枚）５５乃至５７が配設されている。より詳細には、この第４の実施形態では、フィルム装着ユニット５２の装着側に近い順に、平凸レンズ５５、アクロマートレンズ５６、メニスカスレンズ５７が配設されている。各レンズの詳細は第１の実施形態で前述した通りである。これらレンズ群により、光源１５から照射された光によりフィルム装着ユニット５２のフィルム５３に係る投影像を投影する際に所望とする焦点距離に該投影像が結像するように調整がなされる。即ち、換言すれば、レンズユニット５４は、複数のレンズ５５乃至５７からなるレンズ群を有し、当該レンズ群によりフィルム装着ユニット５２のフィルム５３に係る投影像が所望とする焦点距離に結像するように調整をし、所望とする投影をなす。その他の構成については、前述した第１の実施形態と同様である。
【００４４】
以上説明したように、本発明の第４の実施形態によれば、上記投影ユニット５０の外観形状は略円柱形状となっており、その内部はくり抜かれて中空となっており、当該投影ユニット５０の端面の直径は、上記接続部（投影ユニット接続部５１）の直径よりも小さくなっていることを特徴とする電球１０３が提供される。これによれば、投影ユニット５０の径を小さくすることで、全体の軽量化を図ることができる。
【００４５】
次に本発明の第５の実施形態について説明する。
【００４６】
図１０は本発明の第５の実施形態に係る電球の構成を示す図である。ここでは、図１と同一構成については同一符号を用いて重複した説明は省略する。
【００４７】
図１０に示されるように、この電球１０４は、投影ユニット７０と、筺体部３と、口金４と、投影ユニット接続部７８とを有している。投影ユニット７０の外観形状は略円柱形状となっており、その内部はくり抜かれて中空となっている。外壁の厚さは略均一となっている。第１の実施の形態に比して投影ユニット７０内の斜壁を取り除くことで、全体の軽量化を図っている。投影ユニット７０の先端側は、円形に開口された平面により覆われており、該開口部分では内側に所定長の凸部が形成されており、当該凸部に螺子接続部７６が設けられている。従って、投影ユニット７０の先端側では、この内面に形成された螺子接続部７７に螺合することで、レンズユニット７３が装着されるようになっている。この螺合を実現するために、レンズユニット７３の先端部分の外周面にも螺子溝が形成されている。但し、投影ユニット７０とレンズユニット７３の接合関係は、これに限定されるものではない。
【００４８】
投影ユニット７０は、その一端が投影ユニット接続部７８に装着されるようになっている。その詳細は、先に第１の実施形態で説明した構造と同様である。
【００４９】
レンズユニット７３は、内部が中空の円柱形状（即ち円筒形状）となっており、光源部１５に対向する端面には、ポジフィルムや高分子フィルム等のフィルム７２を挟持したフィルム装着ユニット７１が装着される。その構成は、先に第１の実施形態で前述した挟持構造と同様である。フィルム装着ユニット７１は、レンズユニット７３に螺合或いは嵌合される。このように、フィルム装着ユニット７１はレンズユニット７３に対して着脱自在であるため、簡易且つ迅速に所望とするフィルムに交換することが可能となっている。更に、嵌合する関係とした場合には、フィルム７２の装着位置をレンズユニット７３に対して回転自在とすることも可能となる。
【００５０】
レンズユニット７３内には、光軸方向に複数のレンズ（この例では３枚）７４乃至７６が配設されている。より詳細には、この第５の実施形態では、フィルム装着ユニット７１の装着側に近い順に、平凸レンズ７４、アクロマートレンズ７５、メニスカスレンズ７６が配設されている。各レンズの詳細は第１の実施形態で前述した通りである。これらレンズ群により、光源１５から照射された光によりフィルム装着ユニット７１のフィルム７２に係る投影像を投影する際に所望とする焦点距離に該投影像が結像するように調整がなされる。即ち、換言すれば、レンズユニット７３は、複数のレンズ７４乃至７６からなるレンズ群を有し、当該レンズ群によりフィルム装着ユニット７１のフィルム７２に係る投影像が所望とする焦点距離に結像するように調整をし、所望とする投影をなす。その他の構成については、前述した第１の実施形態と同様である。
【００５１】
以上説明したように、本発明の第５の実施形態によれば、上記投影ユニット７０の外観形状は略円筒形状となっており、その内部は中空となっており、外壁の厚さは略均一となっていることを特徴とする電球１０４が提供される。
【００５２】
次に本発明の第６の実施形態について説明する。
【００５３】
図１１は本発明の第６の実施形態に係る電球の構成を示す図である。ここでは、図１と同一構成については同一符号を用いて重複した説明は省略する。
【００５４】
図１１に示されるように、この電球１０５は、投影ユニット８０と、筺体部３と、口金４と、投影ユニット接続部８８とを有している。投影ユニット８０の外観形状は、投影ユニット接続部８８への装着側からレンズユニット８３が装着される先端側に向けて内径が徐々に小さくなるような略円錐台形状となっており、内部も同様に円錐台形状にくり抜かれて中空となっている。但し、先端から所定長だけは、円柱形状にくり抜かれている。そして、投影ユニット８０の先端側には、投影ユニット８０の先端にて円柱形状にくり抜かれた部分の内面に形成された螺子接続部８７に螺合することで、レンズユニット８３が装着されるようになっている。この螺合を実現するために、レンズユニット８３の先端部分の外周面にも所定長だけ螺子溝が形成されている。但し、投影ユニット８０とレンズユニット８３の接合関係は、これに限定されるものではない。
【００５５】
投影ユニット８０は、その一端が投影ユニット接続部８８に装着されるようになっている。その詳細は、先に第１の実施形態で説明した原理と略同様である。
【００５６】
レンズユニット８３は、内部が中空の円柱形状（即ち円筒形状）となっており、光源部１５に対向する端面には、ポジフィルムや高分子フィルム等のフィルム８２を挟持したフィルム装着ユニット８１が装着される。その構成は、先に第１の実施形態で前述した挟持構造と同様である。フィルム装着ユニット８１は、レンズユニット８３に螺合或いは嵌合される。このように、フィルム装着ユニット８１はレンズユニット８３に対して着脱自在であるため、簡易且つ迅速に所望とするフィルムに交換することが可能となっている。更に、嵌合する関係とした場合には、フィルム８２の装着位置をレンズユニット８３に対して回転自在とすることも可能となる。
【００５７】
レンズユニット８３内には、光軸方向に複数のレンズ（この例では３枚）８４乃至８６が配設されている。より詳細には、この第６の実施形態では、フィルム装着ユニット８１の装着側に近い順に、平凸レンズ８４、アクロマートレンズ８５、メニスカスレンズ８６が配設されている。各レンズの詳細は第１の実施形態で前述した通りである。これらレンズ群により、光源１５から照射された光によりフィルム装着ユニット８１のフィルム８２に係る投影像を投影する際に所望とする焦点距離に該投影像が結像するように調整がなされる。即ち、換言すれば、レンズユニット８３は、複数のレンズ８４乃至８６からなるレンズ群を有し、当該レンズ群によりフィルム装着ユニット８１のフィルム８２に係る投影像が所望とする焦点距離に結像するように調整をし、所望とする投影をなす。その他の構成については、前述した第１の実施形態と同様である。
【００５８】
以上説明したように、本発明の第６の実施形態によれば、上記投影ユニット８０の外観形状は、上記接続部（投影ユニット接続部８８）への装着側からレンズユニット８３が装着される先端側に向けて内径が徐々に小さくなるような略円錐台形状となっており、内部も同様に略円錐台形状にくり抜かれて中空となっていることを特徴とする電球１０５が提供される。これによれば、投影ユニット８０の外壁を薄くし、全体の軽量化を図ることが可能となる。
【００５９】
尚、第１の実施形態に係る電球のサイズの一例は図１２に示される。但し、これはあくまでも一例であって、これに限定されるものではない。
【００６０】
以上、本発明の実施形態について説明したが、本発明はこれに限定されることなく、その主旨を逸脱しない範囲で種々の改良・変更が可能であることは勿論である。
【００６１】
例えば、フィルム装着ユニットに代えて、アルミフレーム等からなる型（枠）を嵌めることで、当該アルミフレームに形成された所定の形状や模様を表わす開口等を反映した像を投影するように構成することもできる。
【００６２】
また、本発明によれば、前述した第１乃至第６の実施形態に係る電球を使用した照明装置としての構成も実現される。
【００６３】
尚、投影ユニットは、ポリアセタール（POM；polyacetal）やナイロン、熱可塑性樹脂であるポリプロピレン（PP；polypropylene）、ポリエチレン（PE；polyethylene）等を成形して作られてよい。但し、これには限定されない。
【符号の説明】
【００６４】
１  電球
２  投影ユニット
３  筺体部
３ａ  放熱フィン
４  口金
５  投影ユニット接続部
６  電源ユニット
７  レンズユニット
８  フィルム装着ユニット
８ａ，８ｂ  固定リング
９  フィルム
１０  平凸レンズ
１１  アクロマートレンズ
１２  メニスカスレンズ
１３  螺子接続部
１６  レンズ部
２０  凸部
２１  凹部
３０  長距離投影用レンズユニット
３１  螺子接続部
３２  レンズ
４０  長距離投影用レンズユニット
４１  螺子接続部
４２  レンズ
５０  投影ユニット
５１  投影ユニット接続部
５２  フィルム装着ユニット
５３  フィルム
５４  レンズユニット
５５  平凸レンズ
５６  アクロマートレンズ
５７  メニスカスレンズ
５８  螺子接続部
６０  凸部
６１  凹部
７０  投影ユニット
７１  フィルム装着ユニット
７２  フィルム
７３  レンズユニット
７４  平凸レンズ
７５  アクロマートレンズ
７６  メニスカスレンズ
７７  螺子接続部
７８  投影ユニット接続部
８０  投影ユニット
８１  フィルム装着ユニット
８２  フィルム
８３  レンズユニット
８４  平凸レンズ
８５  アクロマートレンズ
８６  メニスカスレンズ
８７  螺子接続部
８８  投影ユニット接続部
１００〜１０５  電球
【図１】
2013167711.tif 000003
【図２】
2013167711.tif 000004
【図３】
2013167711.tif 000005
【図４】
2013167711.tif 000006
【図５】
2013167711.tif 000007
【図６】
2013167711.tif 000008
【図７】
2013167711.tif 000009
【図８】
2013167711.tif 000010
【図９】
2013167711.tif 000011
【図１０】
2013167711.tif 000012
【図１１】
2013167711.tif 000013
【図１２】
2013167711.tif 000014
【手続補正書】
【提出日】平成24年8月17日(2012.8.17)
【手続補正１】
【補正対象書類名】特許請求の範囲
【補正対象項目名】全文
【補正方法】変更
【補正の内容】
【特許請求の範囲】
【請求項１】
複数のレンズからなるレンズ群を備えたレンズユニットと、
上記レンズユニットを装着する投影ユニットと、
上記投影ユニットが着脱可能な接続部を有する筺体部と、
上記筺体部の平面に実装される単一の発光ダイオードから成る単一光源と、
上記レンズユニットの上記単一光源と対向する面に装着可能なフィルム装着ユニットと、
上記単一光源に電力を供給する電源ユニットと、を備え、
上記投影ユニットは、上記筺体部の接続部に装着された後においても当該接続部に対して回転自在であり、
上記レンズユニットでは、上記複数のレンズとして、フィルム装着ユニットの装着側に近い順に、平凸レンズ、アクロマートレンズ、メニスカスレンズが配設されている
ことを特徴とする電球。
【請求項２】
上記単一光源の前面に、当該単一光源からの照射光を平行光に変換するためのレンズ部が配設されること
を特徴とする請求項１に記載の電球。
【請求項３】
上記レンズユニットの先端に着脱自在の長距離投影用レンズユニットを更に備えたこと
を特徴とする請求項１に記載の電球。
【請求項４】
上記レンズユニットの先端部分に短尺の円筒形状の螺子接続部が配設され、
当該螺子接続部の内面の螺子溝に螺合することで上記長距離投影用レンズユニットを上記レンズユニットに装着すること
を特徴とする請求項３に記載の電球。
【請求項５】
上記長距離投影用レンズユニットの先端に着脱自在の他の長距離投影用レンズユニットを更に備えたこと
を特徴とする請求項３に記載の電球。
【請求項６】
上記投影ユニットの外観形状は略円柱形状となっており、その内部はくり抜かれて中空となっており、当該投影ユニットの端面の直径は、上記接続部の直径よりも小さくなっていること
を特徴とする請求項１に記載の電球。
【請求項７】
上記投影ユニットの外観形状は略円筒形状となっており、その内部は中空となっており、外壁の厚さは略均一となっていること
を特徴とする請求項１に記載の電球。
【請求項８】
上記投影ユニットの外観形状は、上記接続部への装着側からレンズユニットが装着される先端側に向けて内径が徐々に小さくなるような略円錐台形状となっており、内部も略円錐台形状にくり抜かれて中空となっていること
を特徴とする請求項１に記載の電球。
【手続補正３】
【補正対象書類名】明細書
【補正対象項目名】０００１
【補正方法】変更
【補正の内容】
【０００１】
この発明は、例えば電球に関する。
【手続補正４】
【補正対象書類名】明細書
【補正対象項目名】０００６
【補正方法】変更
【補正の内容】
【０００６】
本発明は上述した課題に鑑みてなされたもので、その目的とするところは、所望とするキャラクターや文字、図形、記号、絵、ロゴの少なくともいずれか又はこれらの組合せに係る画像を投影することが可能な電球を提供することにある。
【手続補正５】
【補正対象書類名】明細書
【補正対象項目名】０００７
【補正方法】変更
【補正の内容】
【０００７】
上述技術的な課題を解決するため、本発明の第１の態様に係る電球は、複数のレンズからなるレンズ群を備えたレンズユニットと、上記レンズユニットを装着する投影ユニットと、上記投影ユニットが着脱可能な接続部を有する筺体部と、上記筺体部の平面に実装される単一の発光ダイオードから成る単一光源と、上記レンズユニットの上記単一光源と対向する面に装着可能なフィルム装着ユニットと、上記単一光源に電力を供給する電源ユニットと、を備え、上記投影ユニットは、上記筺体部の接続部に装着された後においても当該接続部に対して回転自在であり、上記レンズユニットでは、上記複数のレンズとして、フィルム装着ユニットの装着側に近い順に、平凸レンズ、アクロマートレンズ、メニスカスレンズが配設されていることを特徴とする。
【手続補正６】
【補正対象書類名】明細書
【補正対象項目名】０００８
【補正方法】変更
【補正の内容】
【０００８】
従って、本発明に係る電球によれば、所望とする画像を投影することが可能となる。